(57)【要約】【課題】  この発明は、例えば上下方向の衝撃が加わった際に生じる検出SWの破損を防止したディスク装置を提供することを目的としている。【解決手段】  ディスクトレイの略平面部の第２の面に設けられるスイッチ作動子と、筐体の少なくとも第１のシャーシ部および第２のシャーシ部でカバーされ、第１のシャーシ部には第１の面、第２のシャーシ部には第２の面が対向するように設けられる略平面状の印刷基板と、前記印刷基板の第１の面に設けられる検出スイッチと、前記検出スイッチと接続し、前記ディスクトレイが前記筐体内に収納される際に前記スイッチ作動子と接触するように設けられるスイッチレバーと、前記スイッチレバーと接続し、前記スイッチレバーから前記第２のシャーシ部へ向けて延在するように設けられるスイッチレバー突起とを備えるように構成するものである。【選択図】  図２
2005243113.tif 000002
【特許請求の範囲】
【請求項１】
第１の面にディスクメディアを搭載するための略平面部を備えるディスクトレイが移動可能に構成され、少なくとも第１のシャーシ部および第２のシャーシ部を備える筐体内に収納されるディスク装置において、
前記ディスクトレイの略平面部の第２の面に設けられるスイッチ作動子と、
前記筐体の少なくとも第１のシャーシ部および第２のシャーシ部でカバーされ、第１のシャーシ部には第１の面、第２のシャーシ部には第２の面が対向するように設けられる略平面状の印刷基板と、
前記印刷基板の第１の面に設けられる検出スイッチと、
前記検出スイッチと接続し、前記ディスクトレイが前記筐体内に収納される際に前記スイッチ作動子と接触するように設けられるスイッチレバーと、
前記スイッチレバーと接続し、前記スイッチレバーから前記第２のシャーシ部へ向けて延在するように設けられるスイッチレバー突起とを備えることを特徴とするディスク装置。
【請求項２】
第１の面にディスクメディアを搭載するための略平面部を備えるディスクトレイが移動可能に構成され、少なくとも第１のシャーシ部および第２のシャーシ部を備える筐体内に収納されるディスク装置において、
前記ディスクトレイの略平面部の第２の面に設けられるスイッチ作動子と、
前記筐体の少なくとも第１のシャーシ部および第２のシャーシ部でカバーされ、第１のシャーシ部には第１の面、第２のシャーシ部には第２の面が対向するように設けられる略平面状の印刷基板と、
前記印刷基板の第１の面に設けられる検出スイッチと、
前記検出スイッチと接続し、前記ディスクトレイが前記筐体内に収納される際に前記スイッチ作動子と接触するように設けられるスイッチレバーと、
前記スイッチレバーと接続し、前記スイッチレバーから前記第２のシャーシ部へ向けて延在するように設けられるスイッチレバー突起および前記スイッチレバーから前記第１のシャーシ部へ向けて延在するように設けられる上部スイッチレバー突起とを備えることを特徴とするディスク装置。
【請求項３】
前記スイッチレバー突起と前記第２のシャーシ部とは離間して設けられることを特徴とする請求項１または２に記載のディスク装置。
【請求項４】
前記上部スイッチレバー突起と前記第１のシャーシ部とは接触を避けるように離間して設けられることを特徴とする請求項２に記載のディスク装置。
【請求項５】
前記ディスクトレイと前記第１のシャーシ部との離間距離をＣ１、前記スイッチ作動子と前記スイッチレバーの上下方向の係合長さをＣ２、前記ディスクトレイと前記上部スイッチレバー突起との離間距離をＣ３とすると、Ｃ１＜Ｃ２かつＣ３＞０の条件を満たすことを特徴とする請求項２または４に記載のディスク装置。
【請求項６】
第１の面にディスクメディアを搭載するための略平面部を備えるディスクトレイが移動可能に構成され、少なくとも第１のシャーシ部および第２のシャーシ部を備える筐体内に収納されるディスク装置を備えた映像信号出力装置において、
前記ディスクトレイの略平面部の第２の面に設けられるスイッチ作動子と、
前記筐体の少なくとも第１のシャーシ部および第２のシャーシ部でカバーされ、第１のシャーシ部には第１の面、第２のシャーシ部には第２の面が対向するように設けられる略平面状の印刷基板と、
前記印刷基板の第１の面に設けられる検出スイッチと、
前記検出スイッチと接続し、前記ディスクトレイが前記筐体内に収納される際に前記スイッチ作動子と接触するように設けられるスイッチレバーと、
前記スイッチレバーと接続し、前記スイッチレバーから前記第２のシャーシ部へ向けて延在するように設けられるスイッチレバー突起と、
前記ディスクトレイから生成される映像信号を出力する映像信号出力部とを備えることを特徴とする映像信号出力装置。
【発明の詳細な説明】
【技術分野】
【０００１】
この発明は、ＤＶＤやＣＤ等のディスクメディアを再生する映像信号出力装置に関する。また、ディスクメディアを映像信号出力装置に収納するディスク装置に関する。
【背景技術】
【０００２】
近年、ディスクトレイ装置は薄型化が望まれている。
【０００３】
特許文献１にはディスクトレイ装置を薄型にするために、SWのレバー部が、これと係合する操作部材の凹部から外れて突出壁に乗り上げた時、レバーに対して離れる方向に弾性変形可能なアーム部が、弾性変形して逃げ、SWの破損を防止する技術が提案されている。しかしながら、この提案は、組立時のSW破損防止に関わる内容であり、一般ユーザが装置の実使用時に発生し得るSW破損防止に関する提案ではなかった。
【特許文献１】特開２０００−２９４０８１号公報（図１、図２、図３）
【発明の開示】
【発明が解決しようとする課題】
【０００４】
そこで、この発明は上記事情を考慮してなされたもので、一般ユーザが装置の実使用時に発生する可能性のあるSWの破損を防止することを目的とする。
【課題を解決するための手段】
【０００５】
この発明に係るディスク装置は、ディスクトレイの略平面部の第２の面に設けられるスイッチ作動子と、筐体の少なくとも第１のシャーシ部および第２のシャーシ部でカバーされ、第１のシャーシ部には第１の面、第２のシャーシ部には第２の面が対向するように設けられる略平面状の印刷基板と、前記印刷基板の第１の面に設けられる検出スイッチと、前記検出スイッチと接続し、前記ディスクトレイが前記筐体内に収納される際に前記スイッチ作動子と接触するように設けられるスイッチレバーと、前記スイッチレバーと接続し、前記スイッチレバーから前記第２のシャーシ部へ向けて延在するように設けられるスイッチレバー突起とを備えるように構成するものである。
【０００６】
この発明に係る映像信号出力装置は、ディスクトレイの略平面部の第２の面に設けられるスイッチ作動子と、筐体の少なくとも第１のシャーシ部および第２のシャーシ部でカバーされ、第１のシャーシ部には第１の面、第２のシャーシ部には第２の面が対向するように設けられる略平面状の印刷基板と、前記印刷基板の第１の面に設けられる検出スイッチと、前記検出スイッチと接続し、前記ディスクトレイが前記筐体内に収納される際に前記スイッチ作動子と接触するように設けられるスイッチレバーと、前記スイッチレバーと接続し、前記スイッチレバーから前記第２のシャーシ部へ向けて延在するように設けられるスイッチレバー突起と、前記ディスクトレイから生成される映像信号を出力する映像信号出力部とを備えるように構成するものである。
【発明の効果】
【０００７】
上記した構成によればディスク装置に例えば上下方向の衝撃が加わった際に生じる検出SWの破損を防止することが可能となる。
【発明を実施するための最良の形態】
【０００８】
以下、この発明の実施の形態について図面を参照して説明する。
【０００９】
図１はこの発明の実施の形態を示すもので、ＤＶＤやＣＤ等のメディアディスクを収納するディスク装置の外観図である。
【００１０】
符号５１は筐体（シャーシ）、符号５２はディスクトレイ、符号５３は案内部材、符号５４は突起部、符号５５は前面パネル、符号５６は駆動釦（駆動ボタン）、符号５７はディスク収容部、符号５８はピックアップヘッド、符号５９は溝部、符号６０は印刷基板（基板）、符号６１は検出ＳＷ（検出スイッチ）、符号６２はＳＷ作動子（スイッチ作動子）、符号６３はＳＷレバー（スイッチレバー）である。
【００１１】
ここでは特に図示しないが、筐体（シャーシ）５１は少なくとも印刷基板６０の上面（第１の面）をカバーする第１のシャーシ部、印刷基板６０の下面（第２の面）をカバーする第２のシャーシ部を備えている。
【００１２】
この発明に係るディスク装置においては、筐体（シャーシ）５１に対してディスクトレイ５２が、筐体５１内の位置と、筐体５１から引き出された位置との間で移送されるように構成されている。
【００１３】
すなわち、筐体５１の側面の内壁には、案内部材５３が設けられ、ディスクトレイ５２は、筐体５１の内壁と対向する側面に、案内部材５３に嵌装される突状部５４が形成されており、この突状部５４が案内部材５３に摺動自在に支持されることにより、ディスクトレイ５２が筐体５１内の位置と、筐体５１から引き出された位置の間で移動する。
【００１４】
ディスクトレイ５２は、前面に前面パネル５５が形成され、ディスクトレイ５２が筐体内に収容されている状態において、前面パネル５５は、筐体５１の入り口を塞ぐように構成されている。
【００１５】
ディスクトレイ５２の移動は、ユーザの手によって駆動されるか、あるいは図示しないモータによって駆動される。前面パネル５５には、駆動釦５６が設けられており、ディスクトレイ５２を筐体５１内から引き出す際のトリガとして機能するように構成されている。
【００１６】
ディスクトレイ５２がユーザの手によって駆動されるように構成されている場合には、ディスクトレイ５２が筐体５１内に収容されている状態では、ディスクトレイ５２は、筐体５１に対して機械的にロックされており、ユーザが駆動釦５６を操作することによって、ロックが解除され、図示しないスプリングによって、ディスクトレイ５２が所定量筐体５１から突出される。また、ユーザがディスクトレイ５２を筐体５１内に押し込むことによって、ディスクトレイ５２は、筐体５１に対して機械的にロックする。
【００１７】
ディスクトレイ５２の移送がモータによって駆動される場合には、ユーザが駆動釦５６を押すことでモータが駆動され、ディスクトレイ５２が、筐体５１から引き出される。また、ディスクトレイ５２をユーザが手で所定量押したり、駆動釦５６を押すことによって、モータが駆動され筐体５１内に収容される。
【００１８】
また、ディスクトレイ５２には、メディアディスクが収容されるディスク収容部５７と、レーザーを照射するダイオードを備えたピックアップヘッド（ＰＵＨ（Pick Up Head））５８が移動する溝部５９が設けられている。ＰＵＨ５８は、ディスク収容部５７の裏面側に設けられた図示しない移送機構によって収容されたディスクの径方向に移送される。
【００１９】
ディスクメディアからＰＵＨ５８を用いて読み出された映像信号は映像信号として出力される。ここで出力された映像信号は特に図示しないが液晶やブラウン管等の表示装置へ
表示される。
【００２０】
このように構成された、ディスク装置においては、レーザー光線が人体に影響を与える恐れがあるために、ディスクトレイ５２が筐体５１内に完全に収容されたことを検出する。そして、ディスクトレイ５２が筐体５１内に完全に収容されたことが検出された場合にレーザーダイオードを動作させるようにするため、ディスクトレイ５２の位置（ディスクトレイ５２が筐体５１内に収容されたこと）を検出する装置が備えられている。
【００２１】
すなわち、筐体５１内に設けられた印刷基板６０に検出スイッチ６１が設けられ、対応するディスクトレイ５２の裏面にSW作動子６２が設けられている。検出スイッチ６１は作動子６３を備え、ディスクトレイ５２の筐体５１への収容が完了した状態においてはじめて、SW作動子６２によって、このSWレバー６３が駆動されるように構成されている。
【００２２】
図２はこの発明の実施の形態を示すもので、特にＳＷ作動子６２とＳＷレバー６３の動作を説明する斜視図である。
【００２３】
ここではディスクトレイ５２は筐体５１に対して矢印の方向に移動し収納される。
【００２４】
特に図示しないが、印刷基板６０は少なくとも印刷基板６０の上面（第１の面）をカバーする第１のシャーシ部、印刷基板６０の下面（第２の面）をカバーする第２のシャーシ部でカバーされる。
【００２５】
ディスクトレイ５２の略平面部に構成されるディスクメディアを搭載する面（第１の面）の裏側の面（第２の面）にはスイッチ作動子６２が設けられている。平面状の印刷基板６０はディスクトレイ５２の略平面部と略平行に配置され、その上面（第１の面）には検出スイッチ（検出ＳＷ）６１が設けられる。
【００２６】
検出スイッチ６１にはスイッチレバー（ＳＷレバー）６３が上記矢印の方向に対して横方向に延在するように接続されている。
【００２７】
また、スイッチレバー６３にはスイッチレバー突起（ＳＷレバー突起）６３aが、第２のシャーシ部へ向けて延在するように接続されている。
【００２８】
ディスクトレイ５２が筐体５１内に収容されたことはこのSW作動子６２とスイッチレバー６３が接触したことを検出スイッチ（検出ＳＷ）６１が検出することによって判断される。この判断は例えば図示しないＣＰＵを用いて行われる。
【００２９】
尚、ディスクトレイ５２は移動可能に構成されるので、スイッチレバー突起６３ａと第２のシャーシ部とは所定の距離離間して設けられることが望ましい。
【００３０】
図３はこの発明の実施の形態を示すもので、特にＳＷ作動子６２とＳＷレバー６３の動作を説明する側面図である。
【００３１】
上記のようにディスクトレイ５２の裏側の面（第２の面）にはスイッチ作動子６２が設けられている。平面状の印刷基板６０はディスクトレイ５２の略平面部と略平行に配置され、その上面（第１の面）には検出スイッチ（検出ＳＷ）６１が設けられる。
【００３２】
検出スイッチ６１にはスイッチレバー（ＳＷレバー）６３がディスクトレイ５２挿入方向に対して横方向に延在するように接続されている。また、スイッチレバー６３にはスイッチレバー突起（ＳＷレバー突起）６３aが、第２のシャーシ部へ向けて延在するように
接続されている。
【００３３】
また、スイッチレバー突起６３ａと第２のシャーシ部とは所定の距離（ここでは距離：ｔ）離間して設けられることが望ましい。
【００３４】
このように構成することによって、例えばディスク装置に上下方向の衝撃が加わり、ディスクトレイ５２が撓むことにより、ディスクトレイ５２裏面のSW作動子６２がSWレバー６３に乗り上げ、下方方向の荷重が加わったとしても、SWレバー６３に加重される力をSWレバー突起６３ａが第２のシャーシ部に当て付き支えることができるので、スイッチレバー６３の変形による検出SW６１の破損を防止することができる。
【００３５】
図４はこの発明の、他の実施の形態を示すもので、特にＳＷ作動子６２とＳＷレバー６３の動作を説明する斜視図である。
【００３６】
上記と同様にディスクトレイ５２は筐体５１に対して矢印の方向に移動し収納される。
【００３７】
特に図示しないが、印刷基板６０は少なくとも印刷基板６０の上面（第１の面）をカバーする第１のシャーシ部、印刷基板６０の下面（第２の面）をカバーする第２のシャーシ部でカバーされる。
【００３８】
ディスクトレイ５２の略平面部に構成されるディスクメディアを搭載する面（第１の面）の裏側の面（第２の面）にはスイッチ作動子６２が設けられている。平面状の印刷基板６０はディスクトレイ５２の略平面部と略平行に配置され、その上面（第１の面）には検出スイッチ（検出ＳＷ）６１が設けられる。
【００３９】
検出スイッチ６１にはスイッチレバー（ＳＷレバー）６３が上記矢印の方向に対して横方向に延在するように接続されている。
【００４０】
また、スイッチレバー６３にはスイッチレバー突起（ＳＷレバー突起）６３aが、第２のシャーシ部へ向けて延在するように接続されている。
【００４１】
また、スイッチレバー６３には上部スイッチレバー突起（上部ＳＷレバー突起）６３bが、第１のシャーシ部へ向けて延在するように接続されている。
【００４２】
ディスクトレイ５２が筐体５１内に収容されたことはこの検出スイッチ（検出ＳＷ）６１とスイッチレバー６３が接触したことを検出スイッチ（検出ＳＷ）６１が検出することによって判断される。この判断は例えば図示しないＣＰＵを用いて行われる。
【００４３】
尚、ディスクトレイ５２は移動可能に構成されるので、スイッチレバー突起６３ａと第２のシャーシ部とは所定の距離離間して設けられることが望ましい。
【００４４】
図５はこの発明の、他の実施の形態を示すもので、特にＳＷ作動子とＳＷレバーの動作を説明する側面図である。
【００４５】
上記のようにディスクトレイ５２の裏側の面（第２の面）にはスイッチ作動子６２が設けられている。平面状の印刷基板６０はディスクトレイ５２の略平面部と略平行に配置され、その上面（第１の面）には検出スイッチ（検出ＳＷ）６１が設けられる。
【００４６】
検出スイッチ６１にはスイッチレバー（ＳＷレバー）６３がディスクトレイ５２挿入方向に対して横方向に延在するように接続されている。
【００４７】
また、スイッチレバー６３にはスイッチレバー突起（ＳＷレバー突起）が、第２のシャーシ部へ向けて延在するように接続されている。
【００４８】
また、スイッチレバー６３には上部スイッチレバー突起（上部ＳＷレバー突起）が、第１のシャーシ部へ向けて延在するように接続されている。
【００４９】
また、スイッチレバー突起６３ａと第２のシャーシ部とは所定の距離離間して設けられることが望ましい。
【００５０】
また、ここではディスクトレイ５２と第１のシャーシ部との離間距離をＣ１、スイッチ作動子６２とスイッチレバー６３の上下方向の係合長さをＣ２、ディスクトレイ５２と上部スイッチレバー突起６３ｂとの離間距離をＣ３とすると、Ｃ１＜Ｃ２かつＣ３＞０の条件を満たすことが望ましい。
【００５１】
このように構成することによって、例えばディスク装置に上下方向の衝撃が加わり、ディスクトレイ５２が撓むことにより、ディスクトレイ５２裏面のSW作動子６２がSWレバー６３に乗り上げ、下方方向の荷重が加わったとしても、SWレバー６３に加重される力をSWレバー突起６３ａが第２のシャーシ部に当て付き支えることができるので、スイッチレバー６３の変形による検出SW６１の破損を防止することができる。
【００５２】
また、このように構成することによって、ディスク装置に上下方向の衝撃が加わり、ディスクトレイ５２が上方向に移動した場合でも、ディスクトレイ５２が第１のシャーシ部に当て付くため、SW作動子６２と検出SW６１のSWレバー６３の係合が外れることを防止することが可能となる。したがって、検出SW６１が破損することを阻止することが可能となる。
【００５３】
なお、この発明は上記した実施の形態そのままに限定されるものではなく、実施段階ではその趣旨を逸脱しない範囲で構成要素を種々変形して具体化することができる。
【図面の簡単な説明】
【００５４】
【図１】この発明の実施の形態を示すもので、メディアディスクを収納するディスク装置の外観図。
【図２】この発明の実施の形態を示すもので、特にＳＷ作動子とＳＷレバーの動作を説明する斜視図である。
【図３】この発明の実施の形態を示すもので、特にＳＷ作動子とＳＷレバーの動作を説明する側面図である。
【図４】この発明の、他の実施の形態を示すもので、特にＳＷ作動子とＳＷレバーの動作を説明する斜視図である。
【図５】この発明の、他の実施の形態を示すもので、特にＳＷ作動子とＳＷレバーの動作を説明する側面図である。
【符号の説明】
【００５５】
５１…筐体（シャーシ部）、５２…ディスクトレイ、５７…ディスク収容部（略平面部）、６０…印刷基板（基板）、６１…検出ＳＷ（検出スイッチ）、６２…ＳＷ作動子（スイッチ作動子）、６３…ＳＷレバー（スイッチレバー）、６３ａ…ＳＷレバー突起（スイッチレバー突起）、６３ｂ…上部ＳＷレバー突起（上部スイッチレバー突起）。
【図１】
2005243113.tif 000003
【図２】
2005243113.tif 000004
【図３】
2005243113.tif 000005
【図４】
2005243113.tif 000006
【図５】
2005243113.tif 000007